(57)【要約】      （修正有）【課題】磁力を利用したモーターシステムのファン羽を安定的に回転させ、さらにモーターシステムの回転軸を液体と隔離させ、モーターと液体との接触を防止してモーター損壊の可能性を減少させることができる観賞用水槽を提供する。【解決手段】ボックス体１に水槽２９を設置し、水槽内には液体と玩具魚とを配置可能で、ボックス体１にはモーターシステム２を設置する。モーターシステム２はモーターを含み、モーターの回転時、水槽内の液体は流動するため、水中において玩具魚に本当の魚のように動き回る様子を現出させることができる。【選択図】図１
0003109584.tif 000002
【実用新案登録請求の範囲】
【請求項１】
ボックス体と、モーターシステムとを備え、
前記ボックス体には水槽を設け、該水槽に液体を貯留すると共に装飾物を設置可能とし、前記モーターシステムは前記ボックス体の内部に設けるモーターを含み、前記モーターの上方に回転軸を設置し、この回転軸は磁石を設置する回転盤と相互に接続し、外覆ケース体は前記モーター、回転軸、磁石を設置する前記回転盤を覆い、前記外覆ケース体の上方には固定軸を設置し、該固定軸は磁石を設置するファン羽と相互に接続し、底蓋は前記外覆ケース体の底部と相互に接続することを特徴とする観賞用水槽。
【請求項２】
前記ボックス体は発光装置を含み、前記水槽内の明るさを増すことを可能としたことを特徴とする請求項１に記載の観賞用水槽。
【請求項３】
前記モータシステムは導流蓋を含み、前記外覆ケース体と相互に接続すると共に、該導流蓋は導流管を有して液体の導入に用いることを特徴とする請求項１に記載の観賞用水槽。
【請求項４】
前記磁石を設置する回転盤は、少なくとも１組の異なる磁性の磁石を設置していることを特徴とする請求項１に記載の観賞用水槽。
【請求項５】
前記磁石を設定するファン羽は、少なくとも１組の異なる磁性の磁石を設置していることを特徴とする請求項１に記載の観賞用水槽。
【考案の詳細な説明】
【技術分野】
【０００１】
本考案は、観賞用水槽に係り、特に水槽を設置するボックス体を含み、該水槽内に液体と玩具魚を入れ、モーターシステムは磁力を利用しファン羽を回転させ、前記水槽内の液体を流動させ、これにより水中において玩具魚に本当の魚のように動き回る様子を現出させるようにした観賞用水槽に関する。
【背景技術】
【０００２】
魚類を飼育し観賞するという趣味は、実際には多くの面倒な点がある。魚類の餌、水草と、その必要とする養分の費用などがかかる他に、忙しい現代社会に生活する我々には魚類の世話をし、水槽の清潔を維持する作業に費やす時間を見出せないことも多い。そのため、忙しい生活を送りながらも魚類を飼育する楽しみを味わおうと、観賞用水槽セットが提案されている。
【０００３】
現在、多くの観賞用水槽が市販されるようになり、魚類を飼育する楽しみに取って代られるようになった。しかし、このような観賞用水槽中の玩具魚は、自由に泳ぐことはないため、モーターの運転によりファン羽を回転させ、水中の液体の流動と連動するようになっている。こうして、玩具魚は、液体の移動に応じて動き、本当の魚が水中で動き回るような様子を演出している。
【０００４】
図２に示すように、観賞用水槽に用いられている従来のモーターシステム３はモーター３４を有し、該モーター３４の上方に回転軸３３を設置している。該回転軸３３は、外覆ケース体３２の頂点面を貫通し、ファン羽３１と相互に結合するようになっている。同時に、前記外覆ケース体３２は、前記モーター３４を覆い、かつ該外覆ケース体３２の底部は底蓋３５と相互に接続する。前記モーター３４が駆動される時、前記回転軸３３も回転動を与えられ、前ファン羽３１が回転する。
【考案の開示】
【考案が解決しようとする課題】
【０００５】
しかしながら、従来の観賞用水槽では、液体の流動を生み出すためにモーター装置が水中に存在し、そのため回転に従い液体が浸入し、モーター損壊の可能性を高めている。しかも、従来のモーターシステムは、回転軸だけがファン羽を支えるため、このファン羽の回転時に回転状態が不安定となる状況も出現しかねない。
【０００６】
本考案は、これらの事情に鑑みてなされたもので、磁力を利用したモーターシステムのファン羽を安定的に回転させ、さらにモーターシステムの回転軸を液体と隔離させ、モーターと液体との接触を防止してモーター損壊の可能性を減少させることができる前述の問題点を解決した観賞用水槽を提供することを目的とする。
【課題を解決するための手段】
【０００７】
前記課題を達成するため、本考案による観賞用水槽は、ボックス体と、モーターシステムとを備え、前記ボックス体には水槽を設け、該水槽に液体を貯留すると共に装飾物を設置可能とし、前記モーターシステムは前記ボックス体の内部に設けるモーターを含み、前記モーターの上方に回転軸を設置し、この回転軸は磁石を設置する回転盤と相互に接続し、外覆ケース体は前記モーター、回転軸、磁石を設置する前記回転盤を覆い、前記外覆ケース体の上方には固定軸を設置し、該固定軸は磁石を設置するファン羽と相互に接続し、底蓋は前記外覆ケース体の底部と相互に接続することを特徴とする。
【考案の効果】
【０００８】
前記のように、本考案はモーターと水槽中の液体との接触を防止可能であるため、モーターの損壊を防止することができる。さらに、本考案モーターシステムの回転盤とファン羽は磁力による相互吸引作用を利用するため、従来の回転軸を利用しファン羽の回転を連動する方式とは異なり、ファン羽の回転状態を一層安定させることができる。
【考案を実施するための最良の形態】
【０００９】
以下、図面を参照して本考案の実施例を説明する。
【実施例】
【００１０】
図１に示すように、本考案の実施例における観賞用水槽は、ボックス体１、モーターシステム２を備えている。前記ボックス体１の水槽２９内部には液体を充填し、模型の岩山と複数の玩具魚を入れるようになっている。前記模型の岩山の片側には、モーターシステム２の導流出口を設置し、前記ボックス体１の頂点面にはモータースイッチ２６１を設置している。このモータースイッチ２６１がオンの時には、モーターシステム２の導流出口は前記水槽２９内部の液体を流動させ、玩具魚を本当の魚のように動き回らせることができる。
【００１１】
図３に示すように、本実施例のモータシステムは、モーター２６と回転動軸２５とを設け、該回転動軸２５は磁石を設置した回転盤２４と相互に接続して外覆ケース体２３により覆われる（前記モーター２６、回転動軸２５、磁石を設置する回転盤２４を覆う。）。前記モーター２６が駆動される時、回転動軸２５にも回転力が伝達され、さらに磁石を設置する回転盤２４にも回転力が伝達される。前記外覆ケース体２３の上方には、固定軸２２を設置し、前記磁石を設置したファン羽２１の回転範囲を前記外覆ケース体２３頂点面に限定する。前記磁石を設置する回転盤２４と該磁石を設置するファン羽２１間には、磁性相互吸引作用が働くため、該磁石を設置する回転盤２４が回転する時、外覆ケース体２３の頂点面を隔絶し、磁石を設置するファン羽２１に回転力を伝達する。
【００１２】
また、前記外覆ケース体２３の上方は、導流蓋２８と相互に接続し、モーターシステム２を水中に設置する時、液体は導流蓋２８内部に充満する。さらに、磁石を設置する回転盤２４と該磁石を設置するファン羽２１は、外覆ケース体２３の頂点面を隔て相互に吸引し運転するため、液体はモーター２６と接触しない。この状態で、ファン羽２１は回転し、導流２８の導流管２８１は液体の流動を導引する。
【００１３】
さらに、図４に示すように、本実施例において回転盤２４は、4個の磁石(２４１、２４２、２４３、２４４)を設置している。磁石２４１と磁石２４３は、N極で、磁石２４２と磁石２４４はS極である。
【００１４】
前記磁石を設置するファン羽２１も4個の磁石(２１１、２１２、２１３、２１４)を設置している。磁石２１１と磁石２１３はN極で、磁石２１２と磁石２１４はN極である。図中の磁石(２１１、２１２、２１３、２１４)は、それぞれ磁石(２４１、２４２、２４３、２４４)と相互に吸引するため、磁石を設置する回転盤２４が回転する時、磁力により磁石を設置するファン羽２１を安定的に回転させることができる。
【００１５】
続いて、図５に示すように、本考案実施例の観賞用水槽を運転する時、前記導流管２８１は水槽２９内部の液体の流動を助け、玩具魚は本当の魚のような動きを見せる。
【００１６】
また、ボックス体１上方には、発光装置４を設置している。この発光装置４は、電源スイッチ４１がオンの時、水槽２９内部の明るさを増すことができる。
【図面の簡単な説明】
【００１７】
【図１】本考案実施例の斜視図である。
【図２】従来例のモーター装置の分解斜視図である。
【図３】本考案実施例のモーターシステムの分解斜視図である。
【図４】本実施例の磁石作用の状態を示す説明図である。
【図５】本考案実施例の使用状態を示す説明図である。
【符号の説明】
【００１８】
１  ボックス体
２  モーターシステム
２８  磁石を設置するファン羽
２２  固定軸
２３  外覆ケース体
２４  磁石を設置する回転盤
２５  回転動軸
２６  モーター
２６１  モータースイッチ
２７  底蓋
２８  導流蓋
２８１  導流管
２９  水槽
３１  ファン羽
３２  外覆ケース体
３３  回転軸
３４  モーター
３５  底蓋
４  発光装置
４１  発光装置電源スイッチ
代理人  弁理士  伊藤  進
【図１】
0003109584.tif 000003
【図２】
0003109584.tif 000004
【図３】
0003109584.tif 000005
【図４】
0003109584.tif 000006
【図５】
0003109584.tif 000007